(57)【特許請求の範囲】
【請求項１】
無線端末と、所定のエリア内で前記無線端末と無線通信を行う基地局と、前記基地局が接続し、構内の電話回線を制御する制御局とを備えた構内電話システムにおいて、
前記制御局に接続され、前記無線端末との回線接続により特定のゾーン内での案内放送を行う複数のページング案内装置を設け、
前記制御局が、携帯端末で特定の操作が為された場合に、前記携帯端末の位置情報に基づいてページング案内装置を特定し、前記携帯端末と前記特定されたページング案内装置とを回線接続する制御局であることを特徴とする構内電話システム。
【請求項２】
無線端末と、所定のエリア内で前記無線端末と無線通信を行う基地局と、前記基地局が接続し、構内の電話回線を制御する制御局とを備えた構内電話システムにおいて、
前記制御局に接続され、特定のゾーン毎に設けられた管理室に設置されている複数の管理室有線電話機を設け、
前記制御局が、携帯端末で別の特定の操作が為された場合に、前記携帯端末の位置情報に基づいて管理室有線電話機を特定し、前記携帯端末と前記特定された管理室有線電話機とを回線接続する制御局であることを特徴とする構内電話システム。
【請求項３】
構内の電話回線を制御する無線制御装置と、
移動局としての無線端末と、
前記無線制御装置に接続され、所定のエリア内にある無線端末との間で無線通信を行う複数の基地局と、
前記無線制御装置に接続され、前記無線端末との回線接続により特定のゾーン内での案内放送を行う複数のページング案内装置とを備えた構内電話システムであって、
前記各ゾーン毎に前記ページング案内装置と前記各ゾーンに含まれる基地局とを対応付けて記憶するテーブルを備えると共に、前記各無線端末が位置登録している基地局の情報を備え、ある無線端末から第１の特定番号が発呼された場合に、前記テーブルを参照して、前記無線端末が位置登録している基地局を含むゾーンに対応するページング案内装置を特定するページング追いかけ装置を備え、
前記無線制御装置が、前記発呼元の無線端末と前記特定されたページング案内装置とを回線接続する無線制御装置であることを特徴とする構内電話システム。
【請求項４】
構内の電話回線を制御する無線制御装置と、
移動局としての無線端末と、
前記無線制御装置に接続され、所定のエリア内にある無線端末との間で無線通信を行う複数の基地局と、
前記無線制御装置に接続され、特定のゾーン毎に設けられた管理室に設置されている複数の管理室有線電話機とを備えた構内電話システムであって、
前記各ゾーン毎に前記管理室有線電話機と前記各ゾーンに含まれる基地局とを対応付けて記憶するテーブルを備えると共に、前記各無線端末が位置登録している基地局の情報を備え、ある無線端末から第２の特定番号が発呼された場合に、前記テーブルを参照して、前記無線端末が位置登録している基地局を含むゾーンに対応する管理室有線電話機を特定するページング追いかけ装置を備え、
前記無線制御装置が、前記無線端末と前記特定された管理室有線電話機とを回線接続する無線制御装置であることを特徴とする構内電話システム。
【発明の詳細な説明】
【０００１】
【発明の属する技術分野】
本発明は、携帯電話やＰＨＳ等の無線端末を用いた構内電話システムに係り、特に案内放送を容易に行うことができ利便性を向上させることができる構内電話システムに関する。
【０００２】
【従来の技術】
従来の構内電話システムについて図３を使って説明する。図３は、従来の構内電話システムの概略構成ブロック図である。
図３に示すように、従来の構内電話システムは、構内の無線電話及び有線電話の回線制御を行う無線制御装置１′と、利用者が携帯する無線端末３と、無線制御装置１′と無線端末３との間の中継を行う無線基地局（基地局）２と、特定のゾーン毎に案内放送を行うページング案内装置４と、ページング案内装置４に接続されたスピーカ５と、管理室等に設けられた管理室有線電話機７とから構成されている。
【０００３】
ここでページング案内装置４について簡単に説明する。
ページング案内装置４は有線にて無線制御装置１′と接続され、それぞれ固有の電話番号（固有番号）が設けられている。そして、ページング案内装置４は、無線端末３からの着信があると、当該無線端末３からの着信音声を増幅して接続されているスピーカ５から出力するものである。
【０００４】
例えば、巡回引率案内の際に、引率者が、ページング案内装置４を発呼して、無線端末５のマイクに向かって話すと、外部のスピーカ５から音声が出力され、案内説明や呼出案内ができるようになっている。そのため、ページング案内装置４は、同一の案内放送を流す範囲（ゾーン）毎に設けられている。尚、ページング案内装置４が設けられているゾーンは、無線基地局２のサービスエリアとは無関係であるが、ここでは、１つのゾーンに複数の無線基地局２のサービスエリアを含むものとする。
【０００５】
上記従来の構内電話システムにおいて案内放送を行う際の動作について説明する。
通常、無線端末３は、自己が位置するエリアをカバーする基地局２に位置登録を行い、基地局２は自己のエリアにある無線端末３の情報を無線制御局１′に送信する。そして、無線制御局１′は管轄下にある複数の基地局２に位置登録されている各無線端末３の情報を管理して、発呼及び着呼の回線制御を行うようになっている。
【０００６】
そして、無線端末３から自己が位置するゾーンのページング案内装置４の電話番号が発呼されると、無線制御装置１′は当該無線端末３に位置登録されている基地局２を介して発呼要求を受信して、有線回線を介して当該ページング案内装置４に着信ありを報知し、当該ページング案内装置４が着信可能であれば、当該無線端末３とページング案内装置４とを回線接続し、通話状態に移行する。
【０００７】
無線端末３とページング案内装置４とが通話状態になると、ページング案内装置４は無線端末３からの受話音声を増幅してスピーカ５に出力する。これにより、発呼者が無線端末３に入力した音声がスピーカ５から出力され、案内放送が可能となるものである。
【０００８】
また、従来の構内電話システムでは、携帯端末３の利用者がゾーン毎に設けられている管理室にいる管理人に連絡する場合には、所望の管理室の管理室有線電話機７の固有の電話番号を発呼するようになっていた。
【０００９】
尚、携帯電話を用いた従来技術としては、平成１１年２月２６日公開の特開平１１−５５１７１号「携帯電話中継装置」（出願人：国際電気株式会社、発明者：佐藤健他）がある。
この従来技術は、ターミナルビル内の電波不感地帯に設置され、携帯電話端末からの要求により情報発生装置から送出された移動案内情報を、ターミナルビルが属している無線ゾーンに割り当てられている周波数以外の周波数チャネルを利用した構内個別放送信号として、ターミナルビル内に送出する携帯電話中継装置であり、携帯電話端末が、この構内放送信号を個別的に受信して、要求した移動案内情報を得ることができ、回線の有効利用を図るものである。
【００１０】
【発明が解決しようとする課題】
しかしながら、上記従来の構内電話システムでは、案内放送を行う場合に、利用者は自分が位置するゾーンのページング案内装置の固有の電話番号を発呼しなければならないため、ゾーン毎に異なるページング案内装置の番号を覚えたり検索する必要があり、煩わしく不便であるという問題点があった。
【００１１】
また、従来の構内電話システムでは、管理室の有線電話機に電話をかける場合にも、ゾーン毎に異なる有線電話機の固有番号を発呼しなければならず、電話番号の暗記や調査が煩わしく不便であるという問題点があった。
【００１２】
本発明は上記実情に鑑みて為されたもので、ゾーンに拘わらず共通の番号でページング案内装置や管理室の有線電話機に容易に接続でき、利便性を向上させることができる構内電話システムを提供することを目的とする。
【００１３】
【課題を解決するための手段】
上記従来例の問題点を解決するための本発明は、構内電話システムにおいて、無線端末との回線接続により特定のゾーン内での案内放送を行う複数のページング案内装置を設け、制御局が、携帯端末で特定の操作が為された場合に、当該携帯端末の位置情報に基づいてページング案内装置を特定し、当該携帯端末と特定されたページング案内装置とを回線接続することを特徴としており、利用者は、自己が位置するゾーンに拘わらず特定の操作を行えば、自己が位置するゾーンのページング案内装置に接続して案内放送を行うことができ、ゾーン毎のページング案内装置の番号に発呼するのに比べて案内放送時の発呼操作を容易にし、利便性を向上させることができる。
【００１４】
また、本発明は、特定のゾーン毎に設けられた管理室に設置されている複数の管理室有線電話機を設け、制御局が、携帯端末で別の特定の操作が為された場合に、携帯端末の位置情報に基づいて管理室有線電話機を特定し、当該携帯端末と特定された管理室有線電話機とを回線接続する構内電話システムであり、利用者は、自己が位置するゾーンに拘わらず別の特定の操作を行えば、自己が位置するゾーンの管理室有線電話機に接続して通話することができ、ゾーン毎の管理室有線電話機の番号に発呼するのに比べて管理室に電話をかける際の発呼操作を容易にし、利便性を向上させることができる。
【００１５】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１６】
本発明に係る構内電話システムの上位概念について説明する。
本発明に係る構内電話システムは、制御局において、予め基地局と該基地局が含まれるゾーンのページング案内装置とを対応付けて記憶しておき、携帯端末で特定の操作が為された場合に、当該携帯端末が位置登録している基地局に対応するページング案内装置を選択して、当該携帯端末と当該ページング案内装置とを回線接続するものであり、ゾーンに拘わらず特定の指示を入力すれば、自己が位置するゾーンのページング案内装置を用いて案内放送を行うことができ、利便性を向上させることができるものである。
【００１７】
次に本発明の中位概念について説明する。
本発明に係る構内電話システムは、利用者が携帯する無線端末と、ゾーン内の案内放送を行う複数のページング案内装置と、各無線端末の位置情報を管理し、無線端末から特定の番号が発呼された場合に、当該無線端末が位置するエリアの無線基地局を報知する位置情報管理手段と、基地局とページング案内装置とを対応付けて記憶し、位置情報管理手段から出力された無線基地局に対応するページング案内装置を特定する特定手段と、当該無線端末と当該ページング案内装置とを回線接続する回線制御手段とを備えており、無線端末が各々のページング案内装置を発呼しなくても、ゾーンに拘わらず共通の特定の番号を発呼すれば、自己が位置するゾーンのページング案内装置に接続されて案内放送を行うことができ、利便性を向上させることができるものである。
【００１８】
次に、本発明の実施の形態に係る構内電話システム（本システム）について説明する。
本システムは、ゾーン毎に対応するページング案内装置の固有番号と当該ゾーンに含まれる基地局とを記憶するページング追いかけ装置を備え、無線端末がページング案内を行う際に個々のページング案内装置を発呼するのではなく、全ゾーンに共通のページング案内番号を発呼すると、ページング追いかけ装置が、当該無線端末が位置登録している基地局の情報に基づいて、当該無線端末が位置するゾーンのページング案内装置を特定し、無線制御装置が当該無線端末と当該ページング案内装置とを回線接続するものであり、携帯端末がゾーンを移動しても同一のページング案内番号で移動先のページング案内装置に接続でき、容易に案内放送を行うことができるものである。
【００１９】
同様に、本システムは、無線端末が全ゾーン共通の管理室電話番号を発呼すると、ページング追いかけ装置が、当該無線端末の位置情報に基づいて、当該無線端末が位置するゾーンの管理室有線電話機を特定し、無線制御装置が当該無線端末と当該管理室有線電話機とを回線接続するものであり、ゾーンを移動しても同じ番号で移動先の各ゾーンの管理室有線電話機に接続でき、容易に各ゾーン単位で案内放送を行うことができるものである。
【００２０】
まず、本発明の実施の形態に係る構内電話システムの構成について図１を用いて説明する。図１は、本発明の実施の形態に係る構内電話システムの構成ブロック図である。
図１に示すように、本発明の実施の形態に係る構内電話システムの基本的な構成は、図３に示した従来の構内電話システムとほぼ同様であり、構内の無線電話及び有線電話の回線接続、交換制御等を行う無線制御装置１と、無線中継局としての無線基地局（基地局）２と、移動局としての無線端末３と、受話音声を増幅してスピーカ５から出力するページング案内装置４と、ページング案内装置４から入力された音声を出力するスピーカ５と、管理室の固定電話である管理室有線電話機７と、外部回線に接続する構内交換機（ＰＢＸ；Private Branch Exchange）８と、本システムの特徴部分であるページング追いかけ装置６とから構成されている。
【００２１】
更に、無線制御装置１は、各無線端末３の位置情報を管理し回線制御を行う制御部１１を備え、従来と同様に基地局Ｉ／Ｆ１２を介して複数の基地局２が接続され、有線接続Ｉ／Ｆ１４を介して管理室有線電話機７が接続され、ページングＩ／Ｆ１５を介して複数のページング案内装置４が接続され、本システムの特徴として外部接続Ｉ／Ｆ１３を介してページング追いかけ装置６が接続されている。
【００２２】
また、図１の例では同一の案内放送を行うゾーンとして２つのゾーンが形成されており、無線基地局Ａ１，Ａ２，Ａ３はゾーンＡに含まれ、無線基地局Ｂ１，Ｂ２はゾーンＢに含まれている。そして、各ゾーンには、スピーカ５と管理室有線電話機７とが設けられている。尚、ゾーンと無線基地局２のエリアとは一致する必要はないが、一致していても構わない。
【００２３】
次に各構成部分について具体的に説明するが、上記構成部分の内、基地局２と、ページング案内装置４と、管理室有線電話機７とＰＢＸ８については従来と同様であるため、ここでは説明を省略する。
無線制御装置１の制御部１１は、従来と同様に構内の無線回線及び有線回線の回線制御を行うものであるが、本システムの特徴として、無線端末３から、予め設定されているページング案内番号宛の発呼があった場合に、ページング追いかけ装置６からの指示に基づいて、ページング追いかけ装置６によって特定されたページング案内装置４に回線接続するものである。
【００２４】
また、制御部１１は、無線端末３から、予め設定されている管理室電話番号宛の発呼があった場合に、ページング追いかけ装置６によって特定された管理室有線電話機７に回線接続するものである。
【００２５】
また、制御部１１は、従来と同様に制御チャネルを介して各無線端末３と交信し、各無線端末３がどこの無線基地局２のエリア内にいるかを示す位置情報、つまり各無線端末３の固有番号と基地局２のＩＤとを対応付ける位置情報を取得して記憶しており、また、位置情報が更新された場合、若しくは定期的に、位置情報をページング追いかけ装置６に出力するものである。
【００２６】
ここで本システムの特徴であるページング案内番号と管理室電話番号について説明する。
ページング案内番号は、全ゾーン共通でページング案内装置を発呼する番号であり、無線端末３からページング案内番号を発呼すると、自己が位置するゾーンのページング案内装置４に回線接続されて、スピーカを用いた案内放送を行うことができるものである。請求項に記載した第１の特定番号はページング案内番号に相当するものである。
【００２７】
同様に、管理室電話番号は全ゾーン共通で管理室有線電話機７を発呼する番号であり、無線端末３から管理室電話番号を発呼すると、自己が位置するゾーンの管理室有線電話機７に回線接続されて、通話ができるものである。請求項に記載した第２の特定番号は管理室電話番号に相当するものである。
【００２８】
これにより、本システムでは、無線端末３が位置するゾーンが変わっても常に同一の番号宛に発呼すれば自己が位置するゾーンのページング案内装置４や管理室有線電話機７に接続でき、利用者の操作を大幅に簡略化できるようになっている。尚、ページング案内番号及び管理室電話番号は特定の番号でもよいし、予め無線端末３に設けた特定キーの押下といった信号でもよい。
【００２９】
次に、本システムの特徴部分であるページング追いかけ装置６について説明する。
ページング追いかけ装置６は、制御部１１から入力された無線端末３の位置情報と、ゾーン毎のページング案内装置４の固有の電話番号（固有番号）及び管理室有線電話機７の固有の電話番号番号（固有番号）を記憶する番号テーブル６１を記憶しているものである。
【００３０】
そして、ページング追いかけ装置６は、制御部１１からページング案内番号を発呼した無線端末３の固有番号が入力されると、当該無線端末３が位置するゾーンのページング案内装置４を特定して、該ページング案内装置４の固有番号を制御部１１に出力するものである。尚、請求項１及び請求項２で記載した制御局は、無線制御装置１の機能とページング追いかけ装置６の機能とを備えたものである。
【００３１】
また、ページング追いかけ装置６は、制御部１１から管理室電話番号を発呼した無線端末３の固有番号が入力されると、当該無線端末３が位置するゾーンの管理室有線電話機７の固有電話番号を制御部１１に出力するものである。
【００３２】
ここで、ページング追いかけ装置６が記憶している番号テーブル６１について図２を用いて説明する。図２は、ページング追いかけ装置６の番号テーブル６１の模式説明図である。
図２に示すように、番号テーブルには、ゾーン毎に、当該ゾーンに含まれる基地局のＩＤと、当該ゾーンにスピーカ５を設けているページング案内装置４の固有番号と、管理室の管理室有線電話機７の固有番号とを対応付けて記憶しているものである。
【００３３】
そして、ページング追いかけ装置６は、制御部１１からページング案内番号を発呼した無線端末の固有番号が入力されると、記憶している位置情報に基づいて当該無線端末３が位置登録している基地局２を読み取り、次に番号テーブル６１を参照して当該基地局２を含むゾーンのページング案内装置４の固有番号を読み取って制御部１１に出力するものである。
【００３４】
図１及び図２の例では、ページング追いかけ装置６は、入力された無線端末３が基地局Ａ２に位置登録している場合には、番号テーブル６１を参照して、基地局Ａ２を含むゾーンＡに対応するページング案内装置４ａの固有電話番号「○○××」を読み取って制御部１１に出力するようになっている。
【００３５】
次に、本システムの動作について図１及び図２を用いて説明する。
無線端末３に電源が投入されると、無線端末３は、制御チャネル周波数によって基地局２の制御信号を受信すると共に、基地局２に自己のＩＤを送信して端末の認証を行い、位置登録を受け付ける。
【００３６】
当該無線端末３が基地局２に認証されると、基地局２は無線制御装置１に認証の情報を送信し、無線制御装置１の制御部１１が当該無線端末３の固有番号とそれを認証した（位置登録された）基地局２のＩＤとを対応付けて位置情報として記憶する。無線制御装置１に位置情報が記憶された無線端末３は、発着信のサービスを受けることができるものである。
【００３７】
そして、無線制御装置１は、新たに記憶した位置情報や移動によって更新された位置情報をページング追いかけ装置６に出力する。ページング追いかけ装置６は、制御部１１と同様に、位置情報として無線端末３の固有番号と認証した基地局２のＩＤとを対応付けて記憶しておく。
【００３８】
ここでは、ゾーンＡにいる利用者が、無線端末３を用いて案内放送をする場合を例として説明する。
基地局Ａ２に位置登録している無線端末３が、ページング案内番号を発呼した場合、発呼要求の信号は基地局Ａ２を介して無線制御装置１の制御部１１に入力され、制御部１１は、ページング追いかけ装置６に、当該無線端末３の固有番号を含むページング案内装置特定の指示を出力する。
【００３９】
ページング追いかけ装置６は、ページング案内装置特定の指示が入力されると、それに含まれる無線端末３の固有番号を読み取り、記憶されている位置情報に基づいて、該無線端末３の固有番号が位置登録されている基地局２のＩＤを読み取る。
【００４０】
更に、ページング追いかけ装置６は、番号テーブル６１を参照して、読み取った基地局２のＩＤに対応するページング案内装置固有番号を読み取り、無線端末３の固有番号にページング案内装置固有番号を付して制御部１１に出力する。図２の例では、基地局Ａ２に対応するページング案内装置固有番号は「○○××」となっている。
【００４１】
制御部１１は、ページング追いかけ装置６からのページング案内装置固有番号を受けて、発信元の無線端末３と、当該固有番号を備えたページング案内装置４との回線接続を試み、着呼先のページング案内装置４が着信可能な状態であれば回線接続する。
【００４２】
上の例では、制御部１１は、「○○××」の番号のページング案内装置４に接続を試みる。そして、無線端末３とページング案内装置４とが回線接続されると、無線端末３からの送話音声がページング案内装置４にて受信され、スピーカ５から出力されて、無線端末３が位置するゾーンＡにおける案内放送を行うことができるものである。
【００４３】
そして、無線端末３の利用者がゾーンＢに移動する場合、利用者は案内放送を終えると一旦回線断としてページング案内装置４ａとの通話を切断する。そして、ゾーンＢに移動してから再度ページング案内番号宛に発呼すると、同様の動作により、ページング追いかけ装置６が、ゾーンＢに位置するページング案内装置４ｂの固有番号「△△○○」を読み取り、無線制御装置１の制御部１１が、「△△○○」に回線接続してゾーンＢにおいて案内放送を行うようになっている。
【００４４】
また、無線端末３が管理室電話番号を発呼した場合には、無線制御装置１の制御部１１は、当該無線端末３の固有番号を含む管理室電話機特定の指示を出力する。そして、ページング追いかけ装置６が、位置情報に基づいて当該無線端末３が位置する基地局２に対応する管理室電話機７の固有番号を読み取り、無線端末３の固有番号と共に制御部１１に出力する。そして、制御部１１が、当該無線端末３とページング追いかけ装置６により特定された固有番号を備えた管理室電話機７とを回線接続する。
【００４５】
このようにして、本システムでは、無線端末３の利用者は、ゾーンに拘わらず共通のページング案内番号又は管理室電話番号を発呼することにより、自己が位置するゾーンのページング案内装置４又は管理室有線電話機７に回線接続することができ、個々のページング案内装置４や管理室有線電話機７の固有の電話番号を発呼するのに比べて、発呼操作を容易にすることができるものである。
【００４６】
本発明の実施の形態に係る構内電話システム（本システム）によれば、ページング追いかけ装置６が、無線制御装置１の制御部１１から入力される無線端末３の位置情報に加えて、基地局２のＩＤとページング案内装置４の固有番号とを対応付けた番号テーブル６１を記憶しており、無線端末３からページング案内番号が発呼されると、無線制御装置１の制御部１１が、当該無線端末３の固有番号を含むページング案内装置特定の指示をページング追いかけ装置６に送出し、ページング追いかけ装置６が、位置情報と番号テーブル６１とに基づいて、当該無線端末３が位置する基地局２に対応するページング案内装置４の固有番号を特定して制御部１１に出力し、制御部１１が当該無線端末３と当該ページング案内装置４とを回線接続するようにしているので、ゾーンに拘わらず共通のページング案内番号を発呼すれば自己が位置するゾーンのページング案内装置４に回線接続して案内放送を行うことができ、ゾーン毎に異なるページング案内装置４の固有番号を発呼する必要がなくなり、案内放送を容易にし、利便性を向上させることができる効果がある。
【００４７】
また、本システムによれば、ページング追いかけ装置６が、番号テーブル６１にて基地局２のＩＤと管理室有線電話機７の固有番号とを対応付けて記憶しており、無線端末３から管理室電話番号が発呼されると、無線制御装置１の制御部１１が、当該無線端末３の固有番号を含む管理室電話機特定の指示をページング追いかけ装置６に送出し、ページング追いかけ装置６が、位置情報と番号テーブル６１とに基づいて、当該無線端末３が位置する基地局２に対応する管理室有線電話機７の固有番号を特定して制御部１１に出力し、制御部１１が当該無線端末３と当該管理室有線電話機７とを回線接続するようにしているので、ゾーンに拘わらず共通の管理室電話番号を発呼すれば自己が位置するゾーンの管理室有線電話機７に回線接続して管理人と通話することができ、ゾーン毎に異なる管理室有線電話機７の固有番号を発呼する必要がなくなり、利便性を向上させることができる効果がある。
【００４８】
また、上述した例ではページング追いかけ装置６に各無線端末３の位置情報が記憶されていたが、位置情報は無線制御装置１の制御部１１のみに記憶するようにして、無線制御装置１の制御部１１から発呼元の無線端末３が位置する基地局のＩＤが出力され、ページング追いかけ装置６では番号テーブル６１に基づいて、当該基地局ＩＤに対応するページング案内装置固有番号又は管理室有線電話機固有番号を読み取って制御部１１に出力するようにしても同様の効果が得られるものである。
【００４９】
更に、ここではページング追いかけ装置６を無線制御装置１とは別に設けたが、ページング追いかけ装置６を無線制御装置１の内部に組み込んで一体に形成しても構わず、また、ページング追いかけ装置６の機能を制御部１１における処理によって実現しても構わない。
【００５０】
また、上述した例では、ページング追いかけ装置６がページング案内装置４や管理室有線電話機７を特定するのは、無線端末３からの発呼時のみであって一旦回線接続すると、接続先を変更することはない。そのため、上述した本システムでは、無線端末３がページング案内装置４と回線接続して案内放送を行っている際に、別のゾーンに移動する場合には、一旦回線切断して、ゾーンを移動してから再度ページング案内番号を発呼して、移動先のページング案内装置４と新たに回線接続するようにしているが、回線切断せずに接続先のページング案内装置４を変更することも可能である。
【００５１】
ここで、本発明の別の実施の形態に係る構内電話システム（別のシステム）について説明する。
本発明の構内電話システムでは、従来の構内電話システムと同様に、無線端末３が移動すると、移動先の基地局２で新たに位置登録されて、無線制御装置１の制御部１１の位置情報が更新され、無線制御装置１は当該無線端末３との交信を中継する基地局２を切り換えていく。これは通話中であっても行われる制御である。
【００５２】
そこで、別のシステムでは、ページング追いかけ装置６内の番号テーブル６１を無線制御装置１の制御部１１内の位置情報に合わせて随時更新しておき、ページング案内装置４に回線接続している無線端末３が別の基地局２のエリアに移動した場合には、制御部１１が、ページング追いかけ装置６に対して再度ページング案内装置特定の指示を出力し、ページング追いかけ装置６が、更新されている位置情報と番号テーブル６１とに基づいて、移動先の基地局２に対応するページング案内装置４の固有番号を特定して制御部１１に出力し、制御部１１が当該無線端末３の接続先を移動先のページング案内装置４に切り換える。
【００５３】
これにより、無線端末３は何度もページング案内番号を発呼せずに、移動したゾーンに対応したページング案内装置４に接続して案内放送を行うことができるものである。
【００５４】
本発明の実施の別の形態に係る構内電話システムによれば、制御部１１が、ページング追いかけ装置６の位置情報を制御部１１に合わせて更新しておき、ページング案内装置４に回線接続している無線端末３が別の基地局２のエリアに移動した場合に、ページング追いかけ装置６に対して再度ページング案内装置特定の指示を出力し、ページング追いかけ装置６が、更新されている位置情報と番号テーブル６１とに基づいて、移動先のページング案内装置４の固有番号を特定して制御部１１に出力し、制御部１１が当該無線端末３の接続先を移動先のページング案内装置４に切り換えるようにしているので、無線端末３はゾーンを移動する毎にページング案内番号を発呼しなくても、移動したゾーンに対応したページング案内装置４に接続して案内放送を行うことができ、より利便性を向上させることができる効果がある。
【００５５】
【発明の効果】
本発明によれば、無線端末との回線接続により特定のゾーン内での案内放送を行う複数のページング案内装置を設け、制御局が、携帯端末で特定の操作が為された場合に、当該携帯端末の位置情報に基づいてページング案内装置を特定し、当該携帯端末と特定されたページング案内装置とを回線接続する構内電話システムとしているので、利用者は、自己が位置するゾーンに拘わらず特定の操作を行えば、自己が位置するゾーンのページング案内装置に接続して案内放送を行うことができ、ゾーン毎のページング案内装置の番号に発呼するのに比べて案内放送時の発呼操作を容易にし、利便性を向上させることができる効果がある。
【００５６】
また、本発明によれば、特定のゾーン毎に設けられた管理室に設置されている複数の管理室有線電話機を設け、制御局が、携帯端末で別の特定の操作が為された場合に、携帯端末の位置情報に基づいて管理室有線電話機を特定し、当該携帯端末と特定された管理室有線電話機とを回線接続する構内電話システムとしているので、利用者は、自己が位置するゾーンに拘わらず別の特定の操作を行えば、自己が位置するゾーンの管理室有線電話機に接続して通話することができ、ゾーン毎の管理室有線電話機の番号に発呼するのに比べて管理室に電話をかける際の発呼操作を容易にし、利便性を向上させることができる。
【図面の簡単な説明】
【図１】本発明の実施の形態に係る構内電話システムの構成ブロック図である。
【図２】ページング追いかけ装置６の番号テーブル６１の模式説明図である。
【図３】従来の構内電話システムの概略構成ブロック図である。
【符号の説明】
１…無線制御装置、  ２…無線基地局（基地局）、  ３…無線端末、  ４…ページング案内装置、  ５…スピーカ、  ６…ページング追いかけ装置、  ７…管理室有線電話機、  ８…ＰＢＸ、  １１…制御部、  １２…基地局Ｉ／Ｆ、  １３…外部接続Ｉ／Ｆ、  １４…有線接続Ｉ／Ｆ、  １５…ページングＩ／Ｆ
【図１】
0004256563.tif 000002
【図２】
0004256563.tif 000003
【図３】
0004256563.tif 000004